(57)【要約】【課題】  電池切れ警告が表示された後も、登録された電話帳を表示することや、時刻を見るなどの最低限の動作は行えるようにすることを課題とする。【解決手段】  二次電池とディスプレイと備え、ディスプレイが半透過型のパネルを備える携帯端末において、二次電池の電池残量が所定量以下になったか否かを判断する手段と、電池切れ警告を表示する手段と、二次電池から電力を供給することを止める手段と、所定の動作を行う入力があった否かを検出する手段と、動作に対応した画像をパネルに形成する手段と、を備えており、ここで、判断手段が二次電池の電池残量が所定量以下になったと判断した場合、電池切れ警告表示手段が電池切れ警告を表示し、所定時間経過後、電力供給を止める手段が電力を供給することを止め、所定動作検出手段が所定の動作を行う入力があったことを検出した場合、画像形成手段が画像を形成することを特徴とする。【選択図】  図２
2005277887.tif 000002
【特許請求の範囲】
【請求項１】
二次電池とディスプレイとを備え、当該ディスプレイが半透過型のパネルを備える携帯端末は、
前記二次電池の電池残量が所定量以下になったか否かを判断する手段と、
電池切れ警告を表示する手段と、
前記二次電池から電力を供給することを止める手段と、
所定の動作を行う入力があった否かを検出する手段と、
当該動作に対応した画像を前記パネルに形成する手段と、を備えており、ここで、
前記判断手段が前記二次電池の電池残量が所定量以下になったと判断した場合、前記電池切れ警告表示手段が電池切れ警告を表示し、所定時間経過後、前記電力供給を止める手段が電力の供給を止め、前記所定動作検出手段が所定の動作を行う入力があったことを検出した場合、前記画像形成手段が画像を形成することを特徴とする携帯端末。
【請求項２】
前記携帯端末は、携帯電話機であることを特徴とする請求項１記載の携帯端末。
【請求項３】
携帯端末の駆動方法において、電池切れ警告が表示され電力の供給が止まった後電源を入れると、バックライトを光らせずに起動することを特徴とする携帯端末の駆動方法。
【請求項４】
二次電池とディスプレイとを備え、当該ディスプレイが半透過型のパネルを備える携帯端末の駆動方法において、
前記二次電池の電池残量が所定量以下になった場合、電池切れ警告を表示し、
所定時間経過後、前記二次電池から電力を供給することを止め、
所定の動作を行う入力があった場合、前記パネルに当該動作に対応した画像を形成することを特徴とする携帯端末の駆動方法。
【請求項５】
携帯端末の駆動プログラムにおいて、電池切れ警告を表示させ電力の供給が止まった後電源を入れると、バックライトを光らせずに起動させることを特徴とする携帯端末の駆動プログラム。
【請求項６】
二次電池とディスプレイとを備え、当該ディスプレイが半透過型のパネルを備える携帯端末の駆動プログラムにおいて、
前記二次電池の電池残量が所定量以下になった場合、電池切れを警告を表示させ、
所定時間経過後、前記二次電池から電力を供給することを止め、
所定の動作を行う入力があった場合、前記パネルに当該動作に対応した画像を形成させることを特徴とする携帯端末の駆動プログラム。
【発明の詳細な説明】
【技術分野】
【０００１】
本発明は、携帯端末、携帯端末の駆動方法及び携帯端末の駆動プログラムに関し、特に、バックライトを備える携帯端末、携帯端末の駆動方法及び携帯端末の駆動プログラムに関する。
【背景技術】
【０００２】
従来、携帯電話機などの携帯端末は二次電池を備えており、放電と充電を繰り返し使用していた。
【０００３】
特許文献１には、二次電池を備えた携帯通信端末において検出する二次電池の容量が、予め定められた値以下になった場合は、無線を用い送受信をおこなう無線部への電源供給を停止する携帯通信端末が開示されている。
【０００４】
また、特許文献２には、電池残量を検出して出力する電池残量検出手段と、電池残量検出手段から出力した電池残量に応じて装置に付加した機能の中で動作を制限しても通話が終了しない機能である付加機能の動作を制限する制御を行う付加機能制御手段とを備えた通信端末装置が開示されている。
【０００５】
さらに、特許文献３には、磁気ディスク記憶手段を制御するディスク制御手段と、発光手段または送受信手段の動作中は磁気ディスク記憶手段を動作させないように電力制御を行う電力制御手段とを具備する携帯電話装置が開示されている。
【０００６】
また、特許文献４には、着信を報知する複数の異なる手段を備えている携帯電話装置において、携帯電話装置に電力を供給する電池の電圧を検出する電圧検出手段と、電圧検出手段による検出電圧が所定の電圧以下となったときに、複数の着信報知手段の内の一つのみを動作させ、他の着信報知手段への電力供給を停止する手段を設けた携帯電話装置が開示されている。
【０００７】
また、特許文献５には、バッテリから供給された電力を用いて複数の機能を実行するバッテリ搭載装置において、バッテリの残量が所定量以下になったか否かを判定する残量判定手段と、残量が所定量以下になったと判定されたときに残量の程度を識別する残量識別手段と、残量識別手段の識別結果に基づいて複数の機能を選択的に停止する機能停止手段とを具備したバッテリ搭載装置が開示されている。
【特許文献１】特開２０００−２０１２１５号公報
【特許文献２】特開２０００−２５３１４２号公報
【特許文献３】特開２００３−１７９６８７号公報
【特許文献４】特開平１１−２７５１８２号公報
【特許文献５】実用新案第３０６４３１４号
【発明の開示】
【発明が解決しようとする課題】
【０００８】
しかしながら、上記の従来の携帯端末では、使用した結果、電池切れ警告が表示され電源が切れるとその後は、携帯端末が駆動しなくなることが多かった。
【０００９】
そのため、従来の携帯端末では、電池切れ警告が表示されると登録された電話帳を表示できなくなるので、他の電話や公衆電話があっても電話したい相手の電話番号がわからないために電話できないこともあった。
【００１０】
電池切れ警告表示時に、いったん電源を切って電池からの電流の取り出しをやめるとわずかに電池の電圧が上がり、これにより電池の電圧が電池切れ警告表示時の電圧を越えるために再度電源を入れて起動させることはできるが、バックライトなどの駆動に多くの電力がかかるため、バックライトを点灯した後、再度電池切れ警告が表示され、電源が切れて携帯端末が駆動しなくなることが多かった。
【００１１】
本発明は、電池切れ警告が表示された後も、登録された電話帳を表示することや、時刻を見るなどの最低限の動作は行えるようにすることを課題とする。
【課題を解決するための手段】
【００１２】
本発明は、上記課題を解決するための手段として、二次電池とディスプレイとを備え、当該ディスプレイが半透過型のパネルを備える携帯端末は、前記二次電池の電池残量が所定量以下になったか否かを判断する手段と、電池切れ警告を表示する手段と、前記二次電池から電力を供給することを止める手段と、所定の動作を行う入力があった否かを検出する手段と、当該動作に対応した画像を前記パネルに形成する手段と、を備えており、ここで、前記判断手段が前記二次電池の電池残量が所定量以下になったと判断した場合、前記電池切れ警告表示手段が電池切れ警告を表示し、所定時間経過後、前記電力供給を止める手段が電力の供給を止め、前記所定動作検出手段が所定の動作を行う入力があったことを検出した場合、前記画像形成手段が画像を形成することを特徴とする。
【００１３】
また、本発明は、前記携帯端末は、携帯電話機であることを特徴とする。
【００１４】
また、本発明は、携帯端末の駆動方法において、電池切れ警告が表示され電力の供給が止まった後電源を入れると、バックライトを光らせずに起動することを特徴とする。
【００１５】
また、本発明は、二次電池とディスプレイと備え、当該ディスプレイが半透過型のパネルを備える携帯端末の駆動方法において、前記二次電池の電池残量が所定量以下になった場合、電池切れ警告を表示し、所定時間経過後、前記二次電池から電力を供給することを止め、所定の動作を行う入力があった場合、前記パネルに当該動作に対応した画像を形成することを特徴とする。
【００１６】
また、本発明は、携帯端末の駆動プログラムにおいて、電池切れ警告を表示させ電力の供給が止まった後電源を入ると、バックライトを光らせずに起動させることを特徴とする。
【００１７】
また、本発明は、二次電池とディスプレイと備え、当該ディスプレイが半透過型のパネルを備える携帯端末の駆動プログラムにおいて、前記二次電池の電池残量が所定量以下になった場合、電池切れを警告を表示させ、所定時間経過後、前記二次電池から電力を供給する止め、所定の動作を行う入力があった場合、前記パネルに当該動作に対応した画像を形成させることを特徴とする。
【発明の効果】
【００１８】
本発明によれば、電池切れ警告が表示された後はバックライトを点灯せずに駆動するようにしたので、電池切れ警告が表示された後でも、少ない消費電力で駆動することが可能となった。その結果、電池切れ警告が表示された後でも、電話帳を閲覧することや、時刻を見るなどの最低限の動作は行えるようになった。
【発明を実施するための最良の形態】
【００１９】
以下、添付図面を参照して本発明を実施するための最良の実施の形態を説明する。
【００２０】
［構成の説明］
図１は、本発明の第１の実施の形態としての携帯電話機の概観を示す斜視図である。
【００２１】
図１に示すように、本実施の形態の携帯電話機１は、液晶ディスプレイ（ＬＣＤ）２０を備えていて、液晶ディスプレイ２０で画像を表示する構成となっている。
【００２２】
液晶ディスプレイ２０は、表示される画像が形成される液晶パネル２３と、画像を表示するために液晶パネル２３を背面から照らすバックライト２１と、を備えている。
【００２３】
なお、液晶パネル２３は、半透過型のパネルで、バックライト２１から照らされる光及び外部からの入射光によって画像を表示する。
【００２４】
図２は、本実施の形態の内部構成を示すブロック図である。
【００２５】
図２に示すように、本実施の形態の携帯電話機１は、携帯電話機１全体を制御するＣＰＵ１０と、ＣＰＵ１０の制御プログラムが格納されるＲＯＭ４０と、ＣＰＵ１０のワークメモリなどに使用されるＲＡＭ５０と、ＣＰＵ１０の制御に従って画像を表示する液晶ディスプレイ２０と、携帯電話機１が動作するための電力を供給する二次電池７０と、を備えている。
【００２６】
液晶ディスプレイ２０は、ＣＰＵ１０から送られた信号に従って液晶パネル２３を駆動する液晶パネルドライバ２４と、液晶パネル２３と、液晶パネル２４が液晶パネル２３を制御するための液晶パネル制御線２５と、ＣＰＵ１０から送られた信号に従ってバックライト２２を駆動するバックライトドライバ２２と、バックライト２１と、パックライトドライバ２２がバックライト２１を制御するためのバックライト制御線２６と、を備えている。
【００２７】
ＣＰＵ１０と、ＲＯＭ４０と、ＲＡＭ５０と、バックライトドライバ２２と、液晶パネルドライバ２４と、二次電池７０とは、データバス６０で接続されている。
【００２８】
［動作の説明］
図３は、本実施の形態の動作を示すシーケンスである。
【００２９】
二次電池７０の電池残量が所定量以下になると（ステップＳ１／Ｙｅｓ）、ＣＰＵ１０はＲＡＭ５０を使って電池切れ警告を示す画像を表示する旨の信号を生成し（ステップＳ２）、バックライトドライバ２２及び液晶パネルドライバ２４に送る（ステップＳ３）。
【００３０】
液晶パネルドライバ２４は、電池切れ警告を示す画像を表示する旨の信号を受けると（ステップＳ１１／Ｙｅｓ）、その旨の画像を形成するように液晶パネル２３を駆動する（ステップＳ１２）。
【００３１】
同様に、バックライトドライバ２２は、電池切れ警告を示す画像を表示する旨の信号を受けると（ステップＳ２１／Ｙｅｓ）、バックライト２１を駆動する（ステップＳ２２）。
【００３２】
その後、所定時間経過後、ＣＰＵ１０は、二次電池７０に電力の供給を止める指示を送信し（ステップＳ４）、二次電池７０は携帯電話機１の各部への電力の供給を止める。
【００３３】
その後、電源が入り所定の動作をする指示が入力されたら（ステップＳ５／Ｙｅｓ）、ＣＰＵ１０は、ＲＡＭ５０を使ってその動作に対応した画像を表示する旨の信号を生成し（ステップＳ６）、液晶パネルドライバ２４に送る（ステップＳ７）。
【００３４】
液晶パネルドライバ２４は、動作を示す画像を表示する旨の信号を受けると（ステップＳ１３／Ｙｅｓ）、その旨の画像を形成するように液晶パネル２３を駆動する（ステップＳ１４）。
【００３５】
本実施の形態では、携帯端末として携帯電話機を用いたが、二次電池から電力が供給されることで駆動するノートパソコン及びＰＤＡを用いてよい。
【図面の簡単な説明】
【００３６】
【図１】本発明の第１の実施の形態としての携帯電話機の概観を示す斜視図である。
【図２】本発明の第１の実施の形態の内部構成を示すブロック図である。
【図３】本発明の第１の実施の形態の動作を示すシーケンスである。
【符号の説明】
【００３７】
１  携帯電話機
１０  ＣＰＵ
２０  液晶ディスプレイ
２１  バックライト
２２  バックライトドライバ
２３  液晶パネル
２４  液晶パネルドライバ
４０  ＲＯＭ
５０  ＲＡＭ
６０  データバス
７０  二次電池
【図１】
2005277887.tif 000003
【図２】
2005277887.tif 000004
【図３】
2005277887.tif 000005